(57)【要約】      （修正有）【課題】複数の自動注出ユニットを備えた飲料自動注出装置で一度に多人数分の飲料を提供するときの操作作業を少なくする。【解決手段】飲料自動注出装置１０は飲料を自動で注出する飲料自動注出ユニット１２Ｌ，１２Ｒを備え、自動注出ユニット１２Ｌ，１２Ｒの１つで操作部６１を操作して自動注出プログラムを実行させるように操作したときに、制御装置は、自動注出ユニット１２Ｌ，１２Ｒの操作部６１を操作した方とともに、自動注出ユニット１２Ｌ，１２Ｒの操作部６１を操作してない方でも自動注出プログラムを実行するように制御した。【選択図】図１
2020075743.tif 000002
【特許請求の範囲】
【請求項１】
装置本体に設けられて、内蔵する弁機構部を開放させて飲料を注出する注出コックと、前記装置本体に設けられて、前記弁機構部を開閉操作させるコック操作装置と、前記注出コックの下側にて前記装置本体に水平軸線回りに傾動可能に軸架された傾動基板に設けられて前記注出コックから注出される飲料を受ける容器を載置する受台を有する容器受台装置と、前記装置本体に設けられて、前記傾動基板を起立した起立姿勢から傾斜した傾斜姿勢に傾動させる受台傾動装置と、前記コック操作装置と前記受台傾動装置とを作動させるための操作をする操作部とを有した複数の自動注出ユニットと、
前記操作部の操作により、前記受台傾動装置によって前記傾動基板を前記起立姿勢から前記傾斜姿勢に傾動させることで前記受台に載置した容器を傾斜させ、前記コック操作装置により前記弁機構部を開放させることにより、前記容器に飲料を自動注出するように制御する自動注出プログラムを実行する制御装置とを備えた飲料自動注出装置であって、
前記複数の自動注出ユニットの１つで前記操作部を操作して前記自動注出プログラムを実行させるように操作したときに、前記制御装置は、前記操作部を操作した前記自動注出ユニットとともに前記操作部を操作してない前記自動注出ユニットでも前記自動注出プログラムを実行するように制御したことを特徴とする飲料自動注出装置。
【請求項２】
請求項１に記載の飲料自動注出装置において、
前記複数の自動注出ユニットの１つで前記操作部を操作して前記自動注出プログラムを実行させるように操作したときに、前記制御装置は、前記操作部を操作した前記自動注出ユニットで前記自動注出プログラムを開始させ、所定時間後に前記操作部を操作してない前記自動注出ユニットでも前記自動注出プログラムを開始させるように制御したことを特徴とする飲料自動注出装置。
【請求項３】
請求項１または２に記載の飲料自動注出装置において、
前記複数の自動注出ユニットの１つで前記操作部を操作して前記自動注出プログラムを実行させるように操作したときに、前記制御装置は、前記操作部を操作した前記自動注出ユニットと前記操作部を操作してない前記自動注出ユニットとの各々で前記自動注出プログラムを複数回実行するように制御したことを特徴とする飲料自動注出装置。
【発明の詳細な説明】
【技術分野】
【０００１】
本発明は、ビール等の飲料を自動注出する飲料自動注出装置に関する。
【背景技術】
【０００２】
特許文献１にはビール等の飲料を注出する飲料自動注出装置が開示されている。この飲料自動注出装置は、主としてビール等の発泡性飲料を自動注出することを目的としたものであり、グラスやジョッキ等の容器にビール等の発泡性飲料が過剰に泡立つのを抑えるように注出しつつ、グラスやジョッキ等の容器の上部に発泡性飲料をきめ細かな泡状態で自動注出することを目的としたものである。飲料自動注出装置は、装置本体の前部に設けられた注出コックと、装置本体の前部にて注出コックの上側に設けられたコック操作装置と、装置本体の前部にて注出コックの下側に設けられた容器受台装置と、装置本体の前部にて容器受台装置を起立した起立姿勢から傾斜した傾斜姿勢に傾動させる受台傾動装置と、コック操作装置と受台傾動装置とを作動させるための操作をする操作パネルとを有した自動注出ユニットを左右に２つ備えている。
【０００３】
注出コックは内部に弁機構部と、弁機構部を操作する操作レバーとが設けられており、操作レバーを前側に傾動することで弁機構部を液用開放状態で開放させると、飲料が液状態で注出ノズルから注出され、操作レバーを後側に傾動することで弁機構部を泡用開放状態で開放させると、飲料が泡状態で注出ノズルから注出される。また、コック操作装置は注出コックのレバーを前側または後側に傾動させて弁機構部を液用開放状態または泡状開放状態で開放させて、注出コックから液状態または泡状態の飲料を注出させるものである。容器受台装置は、装置本体の前部に水平軸線回りに回動可能に支持された傾動基板と、傾動基板の前側に取り付けられて注出コックから注出される飲料を受けるグラスやジョッキ等の容器を載置する受台とを備えている。容器受台装置の後側には受台傾動装置が設けられており、受台傾動装置は容器受台装置の傾動基板を起立姿勢から傾斜姿勢に傾動させ、受台に載置した容器を起立した状態から傾斜させるものである。
【０００４】
飲料自動注出装置は自動注出ユニットのコック操作装置と受台傾動装置との作動を制御する制御装置を備えており、制御装置は容器受台装置の受台に載置したジョッキ等の容器にビール等の飲料を自動注出する自動注出プログラムを備えている。受台にジョッキ等の容器を載置して操作パネルの自動注出操作スイッチを操作して自動注出プログラムを実行させると、制御装置は受台傾動装置によって受台に載置した容器を傾斜させて、コック操作装置により弁機構部を液用開放状態で開放させることで、受台で傾斜させた容器にビール等の飲料を液状態で自動注出させ、受台傾動装置によって傾動基板を傾斜姿勢から起立姿勢に戻して容器を起立させた後で、コック操作装置により弁機構部を泡用開放状態で開放させることで、起立させた容器にビール等の飲料を泡状態で自動注出させるように制御している。
【先行技術文献】
【特許文献】
【０００５】
【特許文献１】特開２０１６−２２２３２６号公報
【発明の概要】
【発明が解決しようとする課題】
【０００６】
上記のような特許文献１に記載の飲料自動注出装置は、自動注出ユニットを２つ備えており、各自動注出ユニットの操作パネルには自動注出操作スイッチが設けられている。２つの飲料自動注出ユニットの両方で受台に載置したジョッキ等の容器にビールを自動注出させるときには、両方の自動注出操作スイッチを操作する必要がある。この飲料自動注出装置を設置した飲食店で１度に多人数分の飲料を提供するときには、両方の自動注出操作スイッチを頻繁に操作する必要があり、頻繁に自動注出操作スイッチを操作するのが面倒であるとともに、自動注出操作スイッチを操作するまでの時間がかかる問題があった。本発明は、複数の自動注出ユニットを備えた飲料自動注出装置で一度に多人数分の飲料を提供するときの操作作業を少なくすることを目的とする。
【課題を解決するための手段】
【０００７】
本発明は上記課題を解決するため、装置本体に設けられて、内蔵する弁機構部を開放させて飲料を注出する注出コックと、装置本体に設けられて、弁機構部を開閉操作させるコック操作装置と、注出コックの下側にて装置本体に水平軸線回りに傾動可能に軸架された傾動基板に設けられて注出コックから注出される飲料を受ける容器を載置する受台を有する容器受台装置と、装置本体に設けられて、傾動基板を起立した起立姿勢から傾斜した傾斜姿勢に傾動させる受台傾動装置と、コック操作装置と受台傾動装置とを作動させるための操作をする操作部とを有した複数の自動注出ユニットと、操作部の操作により、受台傾動装置によって傾動基板を起立姿勢から傾斜姿勢に傾動させることで受台に載置した容器を傾斜させ、コック操作装置により弁機構部を開放させることにより、容器に飲料を自動注出するように制御する自動注出プログラムを実行する制御装置とを備えた飲料自動注出装置であって、複数の自動注出ユニットの１つで操作部を操作して自動注出プログラムを実行させるように操作したときに、制御装置は、操作部を操作した自動注出ユニットとともに操作部を操作してない自動注出ユニットでも自動注出プログラムを実行するように制御したことを特徴とする飲料自動注出装置を提供するものである。
【０００８】
上記のように構成した飲料自動注出装置においては、複数の自動注出ユニットの１つで操作部を操作して自動注出プログラムを実行させるように操作したときに、制御装置は、操作部を操作した自動注出ユニットとともに操作部を操作してない自動注出ユニットでも自動注出プログラムを実行するように制御したので、操作部を１度操作するだけで、複数の自動注出ユニットで自動注出プログラムを実行させることができ、一度に多人数分の飲料を自動注出するときの操作手数を少なくでき、操作時間を短くすることができるようになった。
【０００９】
上記のように構成した飲料自動注出装置においては、複数の自動注出ユニットの１つで操作部を操作して自動注出プログラムを実行させるように操作したときに、制御装置は、操作部を操作した自動注出ユニットで自動注出プログラムを開始させ、所定時間後に操作部を操作してない自動注出ユニットでも自動注出プログラムを開始させるように制御するのが好ましい。このようにしたときには、操作部を操作した自動注出ユニットで容器に飲料を注出開始させた後で、操作部を操作していない自動注出ユニットの受台に容器を載置すればよく、複数の自動注出ユニットの全ての受台に最初から容器を準備する必要がなく、注出を開始するまでの準備時間を短くすることができた。
【００１０】
上記のように構成した飲料自動注出装置においては、複数の自動注出ユニットの１つで操作部を操作して自動注出プログラムを実行させるように操作したときに、制御装置は、操作部を操作した自動注出ユニットと操作部を操作してない自動注出ユニットとの各々で自動注出プログラムを複数回実行するように制御するのが好ましい。このようにしたときには、操作部を１回操作するだけで、複数の自動注出ユニットの各々で飲料を複数回自動注出させることができ、一度に多人数分の飲料を自動注出するときの操作手数をさらに少なくでき、操作時間を短くすることができた。
【図面の簡単な説明】
【００１１】
【図１】本発明による飲料自動注出装置の一実施形態の斜視図である。
【図２】図１の縦方向断面図である。
【図３】飲料自動注出装置の飲料容器との接続を示す概略図である。
【図４】図１の正面図であり、左側の操作パネルのカバーが閉じられ、右側の操作パネルのカバーが開放された正面図である。
【図５】自動注出プログラムを実行させたときのタイムチャート（ａ）、起立させた容器にさらに飲料を液状態で注出させるときのタイムチャート（ｂ）、（ａ）の自動注出プログラムで飲料を泡状態で注出しないようにしたときのタイムチャート（ｃ）、（ｂ）の自動注出プログラムで飲料を泡状態で注出しないようにしたときのタイムチャート（ｄ）である。
【図６】独立注出モードで左側の自動注出ユニットの自動注出操作スイッチをオン操作したときの左右両側の自動注出ユニットのタイムチャート（ａ）、右側の自動注出ユニットの自動注出操作スイッチをオン操作したときの左右両側の自動注出ユニットのタイムチャート（ｂ）である。
【図７】連動注出の同時注出モードで左側の自動注出ユニットの自動注出操作スイッチをオン操作したときの左右両側の自動注出ユニットのタイムチャート（ａ）、右側の自動注出ユニットの自動注出操作スイッチをオン操作したときの左右両側の自動注出ユニットのタイムチャート（ｂ）である。
【図８】連動注出の時間差注出モードで左側の自動注出ユニットの自動注出操作スイッチをオン操作したときの左右両側の自動注出ユニットのタイムチャート（ａ）、右側の自動注出ユニットの自動注出操作スイッチをオン操作したときの左右両側の自動注出ユニットのタイムチャート（ｂ）である。
【図９】連動注出の同時注出モードで連続注出回数を３回に設定したときに、左側の自動注出ユニットの自動注出操作スイッチをオン操作したときの左右両側の自動注出ユニットのタイムチャートである。
【図１０】連動注出の時間差注出モードで連続注出回数を３回に設定したときに、左側の自動注出ユニットの自動注出操作スイッチをオン操作したときの左右両側の自動注出ユニットのタイムチャートである。
【発明を実施するための形態】
【００１２】
以下に、本発明による飲料自動注出装置の一実施形態を図面を参照して説明する。本発明の飲料自動注出装置１０は注出コック２０からグラスやジョッキ等の容器にビール等の飲料で特に発泡性飲料を自動注出するものであり、グラスやジョッキ内でビール等の発泡性飲料が過剰に泡立つのを防ぐように注出することを目的としたものである。図１及び図２に示したように、この実施形態の飲料自動注出装置１０は、装置本体１１の前側部に注出コック２０、コック操作装置３０、容器受台装置４０、受台傾動装置５０及び操作パネル６０を有した自動注出ユニット１２Ｌ，１２Ｒを左右に２つ備えており、自動注出ユニット１２Ｌ，１２Ｒは左右同一のものであるので以後の説明では一方のみを説明する。
【００１３】
図２に示したように、飲料自動注出装置１０は、装置本体１１内の上部に冷却水槽１３と、装置本体１１の下部の機械室に冷却水槽１３内の冷却水を冷却する冷凍装置１４とを内蔵している。冷却水槽１３内には冷凍装置１４の蒸発管１４ａが設けられており、冷却水槽１３内の冷却水は冷凍装置１４の蒸発管１４ａを循環する冷媒によって冷却されている。冷却水槽１３内の冷却水は蒸発管１４ａの周囲で凍結して氷となって飲料冷却管１５を通過する飲料を冷却する。冷却水槽１３内には飲料冷却管１５が設けられており、飲料冷却管１５は上述した自動注出ユニット１２Ｌ，１２Ｒの各注出コック２０に対応して２つ設けられている。図２及び図３に示したように、飲料冷却管１５の導入端部には装置本体１１の外部に設けたビア樽等の飲料容器Ｔが飲料供給管（飲料供給経路）Ｔ１により接続され、飲料冷却管１５の導出端部１５ａには装置本体１１の上部に設けた注出コック２０が接続されている。飲料供給管Ｔ１には装置本体１１内に温度センサ１６が介装されており、温度センサ１６は飲料供給管Ｔ１を通過する飲料の温度、すなわち飲料容器Ｔ内の飲料の温度を検出するものである。
【００１４】
飲料容器Ｔにはガスボンベ（ガス供給源）Ｇがガス供給管Ｇ１により接続されており、飲料容器Ｔ内の飲料はガスボンベＧの炭酸ガスの圧力によって飲料冷却管１５に送られる。ガスボンベＧのガスの送出部には減圧弁Ｇ２が介装されており、ガス供給管Ｇ１に送られる炭酸ガスの圧力は所定の圧力に減圧されている。ガス供給管Ｇ１には装置本体１１内に調圧バルブ１７と圧力センサ１８が介装されている。調圧バルブ１７は開閉することでガスボンベＧから飲料容器Ｔに供給する炭酸ガスの圧力を調整するものである。圧力センサ１８はガス供給管Ｇ１の炭酸ガスの圧力、すなわち飲料容器Ｔに供給される炭酸ガスの圧力を検出するものである。
【００１５】
装置本体１１の前面上部には注出コック２０が設けられており、注出コック２０はグラスやジョッキ等の容器に飲料を注出するものである。注出コック２０は、弁機構部２１ａを内蔵した筒状の本体部２１の上部に操作レバー２２と、下部に注出ノズル２３（２３ａ，２３ｂ）とを備えている。本体部２１の弁機構部２１ａは開放状態とすることによって飲料容器Ｔ内の飲料を飲料供給管Ｔ１と飲料冷却管１５とを通過させて注出ノズル２３に導くものである。また、この注出コック２０はビール等の発泡性飲料を液状態または泡状態で注出することを可能とするために、弁機構部２１ａを液用開放状態で開放することで液用の注出ノズル２３ｂに液状態の飲料を導き、弁機構部２１ａを泡用開放状態で開放することで泡用の注出ノズル２３ａに泡状態の飲料を導くようになっている。操作レバー２２は弁機構部２１ａを閉止状態と各開放状態との開閉操作を行うためのものである。操作レバー２２は、垂直に起立した起立位置にあるときには弁機構部２１ａを閉止状態とし、前方に傾動（前傾）させると弁機構部２１ａを液用開放状態で開放させ、後方に傾動（後傾）させると弁機構部２１ａを泡用開放状態で開放させる。注出ノズル２３は弁機構部２１ａを通過した飲料をグラスやジョッキ等の容器に注出するものである。この注出コック２０はビール等の発泡性飲料を液状態または泡状態で別々に注出するために、本体部２１の下面には前部に発泡性飲料を泡状態で注出する泡用の注出ノズル２３ａと、後部に発泡性飲料を液状態で注出する液用の注出ノズル２３ｂとが設けられている。
【００１６】
図２に示したように、コック操作装置３０は注出コック２０の弁機構部２１ａを開閉操作するためのものである。コック操作装置３０の筐体３１内に注出コック２０の操作レバー２２を前後に傾動させる操作機構部３２を有しており、弁機構部２１ａは操作機構部３２によって操作レバー２２を前後に傾動させることで開閉操作される。操作機構部３２はサーボモータ３３と、前後に移動可能に支持されたスライダ３４とを備えている。スライダ３４はサーボモータ３３によって前後に移動し、操作レバー２２は前後に移動するスライダ３４によって前後に傾動し、弁機構部２１ａは前後に傾動する操作レバー２２によって開閉される。
【００１７】
図２に示したように、容器受台装置４０は、注出コック２０から注出されるビール等の発泡性飲料をできるだけ泡立つことのないようにグラスやジョッキ等の容器内で受けるようにするために、グラスやジョッキ等の容器を前後方向に傾斜できるようにしたものである。容器受台装置４０は、上端部が装置本体１１の前部に水平軸線回りに傾動可能に軸架された傾動基板４１と、傾動基板４１に取り付けた受台４２（４２ａ，４２ｂ）とを備えている。図３の２点鎖線に示したように、傾動基板４１は後面が押動されると下端部が斜め前方に押し上げられて傾動する。受台４２は傾動基板４１の上下方向の中間部と下部とに上下２段に取り付けた受台４２ａ，４２ｂとからなる。上段の受台４２ａは主としてグラス等の小型の容器を載置するものであり、下段の受台４２ｂは主としてグラスよりも容量の多いジョッキ等の大型の容器を載置するものである。
【００１８】
上段の受台４２ａは傾動基板４１に対して水平軸線回りに回動可能に支持されており、下段の受台４２ｂに容器を載置するときには、上段の受台４２ａを前方に突出した使用位置から傾動基板４１に沿う退避位置まで退避させる。図１及び図３に示したように、装置本体１１の前部には上段または下段の受台４２ａ，４２ｂが使用状態であることを検知する検知器４３が設けられており、検知器４３はこの実施形態ではリードスイッチ等の近接スイッチが採用されている。上段の受台４２ａの側部には検知器４３より検知される被検知部材として磁石４４が設けられており、磁石４４は上段の受台４２ａが退避位置に退避したときに検知器４３に近接するようになっている。具体的には、グラスを載置するときのように、上段の受台４２ａが傾動基板４１から前方に突出した使用位置にあるときには、磁石４４は検知器４３から離間しており、検知器４３は磁石４４が離間していることでオフ信号を出力し、上段の受台４２ａが使用状態であることを検知する。これに対し、下段の受台４２ｂにジョッキを載置するときのように、上段の受台４２ａが傾動基板４１に沿う退避位置にあるときには、磁石４４は検知器４３に近接しており、検知器４３は磁石４４が近接していることでオン信号を出力し、下段の受台４２ｂが使用状態であることを検知する。
【００１９】
図２に示したように、受台傾動装置５０は、傾動基板４１を起立姿勢から傾斜姿勢に傾動させ、傾斜姿勢から起立姿勢に復帰させるものである。受台傾動装置５０は、サーボモータ５１と、サーボモータ５１の駆動によって前後に回動するアーム５２とを備えている。受台傾動装置５０は、サーボモータ５１によりアーム５２を前方に延びるように回動させて、容器受台装置４０の傾動基板４１を前方に押し出して起立姿勢から傾斜姿勢に傾動させる。受台傾動装置５０は、サーボモータ５１によりアーム５２を後方に退避させるように回動させて容器受台装置４０の傾動基板４１を後方に戻して、容器受台装置４０の傾動基板４１を傾斜姿勢から起立姿勢に復帰させる。
【００２０】
図４に示したように、コック操作装置３０の筐体３１の前面には操作パネル６０が設けられており、操作パネル６０には自動注出操作スイッチ６１と注出停止スイッチ６２と、切替スイッチ６３と、設定スイッチ６４と、泡注出スイッチ６５と、液注出スイッチ６６とが設けられており、各種操作スイッチ６１〜６６をオン操作したオン信号が制御装置７０に入力されるようになっている。また、操作パネル６０には表示部６７，６８が設けられており、表示部６７は各種操作スイッチ６１〜６６によって設定した注出プログラムの注出条件等が表示可能としており、表示部６８は飲料容器Ｔ内の飲料がなくなったことを表示可能としている。また、操作パネル６０にはカバー６９が開閉自在に設けられており、カバー６９は操作スイッチ６３〜６６及び表示部６７を開閉自在に覆っている。
【００２１】
図３に示したように、飲料自動注出装置１０は、グラスやジョッキ等の容器にビール等飲料を注出するのを制御する制御装置７０を備えており、制御装置７０は、自動注出ユニット１２Ｌ，１２Ｒの各々の温度センサ１６、調圧バルブ１７、圧力センサ１８、コック操作装置３０（特にサーボモータ３３）、検知器４３、受台傾動装置５０（特にサーボモータ５１）及び操作パネル６０に接続されている。制御装置７０のメモリには飲料の温度に応じた炭酸ガスの設定圧力が記憶されており、制御装置７０は温度センサ１６により検出された飲料の温度に応じた設定圧力となるように、圧力センサ１８の検出圧力に基づいて調圧バルブ１７を開閉制御し、ガスボンベＧから飲料容器Ｔに供給される炭酸ガスの圧力を調節している。
【００２２】
また、制御装置７０のメモリには飲料の自動注出プログラムが記憶されており、自動注出プログラムはビール等の発泡性飲料がグラスやジョッキ等の容器内で過剰に泡立つことなく注出することを目的とし、さらに、ビール等の発泡性飲料を液状態で注出した後で、容器の上部にビール等の発泡性飲料をきめ細かな泡状態で注出することを目的としたものである。操作パネル６０の自動注出操作スイッチ６１をオン操作すると、制御装置７０は自動注出プログラムを実行する。図５（ａ）に示したように、制御装置７０は、自動注出プログラムを実行したときに、受台傾動装置５０により傾動基板４１を起立姿勢から傾斜姿勢に傾動させて受台４２に載置した容器を傾斜させる。制御装置７０は、コック操作装置３０により注出コック２０の弁機構部２１ａを液用開放状態で開放させると、飲料容器Ｔ内の飲料は飲料冷却管１５を通過するときに冷却され、液用の注出ノズル２３ｂから傾斜させた容器の周壁内面に沿って液状態で注出される。その後、制御装置７０は、コック操作装置３０により注出コック２０の弁機構部２１ａを液用開放状態で開放させているのを停止状態とするとともに、受台傾動装置５０により傾動基板４１を傾斜姿勢から起立姿勢に戻して受台４２に載置した容器を起立させる。制御装置７０は、コック操作装置３０により注出コック２０の弁機構部２１ａを泡用開放状態で開放させ、起立した容器の上部に泡状態の飲料を注出させる。起立した容器の上部に泡状態の飲料を注出し終えると、制御装置７０は、コック操作装置３０により注出コック２０の弁機構部２１ａを泡用開放状態から停止状態に戻させて自動注出プログラムを終了する。
【００２３】
なお、図５（ａ）に示した自動注出プログラムは一例であり、図５（ｂ）に示したように、傾動基板４１を傾斜姿勢から起立姿勢に戻して受台４２に載置した容器を起立させてから、コック操作装置３０により弁機構部２１ａを液用開放状態で開放させて、起立させた容器に液状態の飲料をさらに注出させるようにしてもよい。また、この自動注出プログラムでは、図５（ｃ），（ｄ）に示したように、受台傾動装置５０により傾動基板４１を傾斜姿勢から起立姿勢に戻して受台４２に載置した容器を起立させた後で、コック操作装置３０により注出コック２０の弁機構部２１ａを泡用開放状態で開放させて泡状態の飲料を注出させるのを省略したものであってもよい。
【００２４】
制御装置７０のメモリには独立注出モードと、連動注出モードが設定されており、操作パネル６０の各種スイッチ６１〜６６を操作することで独立注出モードと連動注出モードとを変更可能としている。独立注出モードは、自動注出ユニット１２Ｌ，１２Ｒの各々で自動注出プログラムを独立して実行させるものである。図６（ａ）に示したように、独立注出モードで自動注出ユニット１２Ｌの自動注出操作スイッチ６１をオン操作すると、制御装置７０は、自動注出ユニット１２Ｌで自動注出プログラムを実行して飲料を自動注出させ、自動注出ユニット１２Ｒでは自動注出プログラムを実行させないように制御している。同様に、図６（ｂ）に示したように、自動注出ユニット１２Ｒの自動注出操作スイッチ６１をオン操作すると、制御装置７０は、自動注出ユニット１２Ｒで自動注出プログラムを実行して飲料を自動注出させ、自動注出ユニット１２Ｌでは自動注出プログラムを実行させないように制御している。
【００２５】
連動注出モードは、自動注出ユニット１２Ｌ，１２Ｒの両方で連動させて自動注出プログラムを実行させるものである。また、制御装置７０のメモリには、連動注出の同時注出モードと、連動注出の時間差注出モードが設定されており、操作パネル６０の各種スイッチ６１〜６６を操作することで連動注出の同時注出モードと連動注出の時間差注出モードとを変更可能としている。図７（ａ）に示したように、連動注出の同時注出モードで自動注出ユニット１２Ｌの自動注出操作スイッチ６１をオン操作すると、制御装置７０は、自動注出ユニット１２Ｌ，１２Ｒの両方で同時に自動注出プログラムを実行して飲料を注出させる。同様に、図７（ｂ）に示したように、自動注出ユニット１２Ｒの操作パネル６０の自動注出操作スイッチ６１をオン操作すると、制御装置７０は、自動注出ユニット１２Ｌ，１２Ｒの両方で同時に自動注出プログラムを実行して飲料を注出させる。
【００２６】
これに対し、図８（ａ）に示したように、連動注出の時間差注出モードで自動注出ユニット１２Ｌの自動注出操作スイッチ６１をオン操作すると、制御装置７０は、先ず、自動注出ユニット１２Ｌで自動注出プログラムを開始し、所定時間後として自動注出ユニット１２Ｌでのコック操作装置３０による弁機構部２１ａを液状態で開放させる開放時間が経過すると、自動注出ユニット１２Ｒで自動注出プログラムを開始するように制御している。同様に、図８（ｂ）に示したように、自動注出ユニット１２Ｒの操作パネル６０の自動注出操作スイッチ６１をオン操作すると、制御装置７０は、先ず、自動注出ユニット１２Ｒで自動注出プログラムを開始し、所定時間後として自動注出ユニット１２Ｒでのコック操作装置３０による弁機構部２１ａを液状態で開放させる開放時間が経過すると、自動注出ユニット１２Ｌで自動注出プログラムを開始するように制御している。
【００２７】
連動注出の同時注出モードと連動注出の時間差注出モードでは連続注出回数が設定可能となっており、操作パネル６０の各種スイッチ６１〜６６を操作することで連続注出回数が設定される。図９に示したように、連動注出の同時注出モードで連続注出回数が例えば３回に設定されているときに、自動注出ユニット１２Ｌの操作パネル６０の自動注出操作スイッチ６１をオン操作すると、自動注出ユニット１２Ｌ，１２Ｒの両方で同時に自動注出プログラムを３回連続で実行して飲料を注出させる。自動注出ユニット１２Ｒの操作パネル６０の自動注出操作スイッチ６１をオン操作したときにも、自動注出ユニット１２Ｌの自動注出操作スイッチ６１をオン操作したときと同様に、制御装置７０は、自動注出ユニット１２Ｌ，１２Ｒの両方で同時に自動注出プログラムを３回連続で実行して飲料を注出させる。
【００２８】
図１０（ａ）に示したように、連動注出の時間差注出モードで連続注出回数が例えば３回に設定されているときに、自動注出ユニット１２Ｌの操作パネル６０の自動注出操作スイッチ６１をオン操作すると、制御装置７０は、先ず、自動注出ユニット１２Ｌで１回目の自動注出プログラムを開始し、所定時間後として自動注出ユニット１２Ｌでのコック操作装置３０による弁機構部２１ａを液状態で開放させる開放時間が経過すると、自動注出ユニット１２Ｒで１回目の自動注出プログラムを開始する。自動注出ユニット１２Ｒでコック操作装置３０による弁機構部２１ａを液状態で開放させる開放時間が経過すると、制御装置７０は、自動注出ユニット１２Ｌで２回目の自動注出プログラムを開始し、所定時間後として自動注出ユニット１２Ｌでコック操作装置３０による弁機構部２１ａを液状態で開放させる開放時間が経過すると、自動注出ユニット１２Ｒで２回目の自動注出プログラムを開始する。制御装置７０は、１回目及び２回目と同様に自動注出ユニット１２Ｌ，１２Ｒで３回目の自動注出プログラムを実行し、自動注出ユニット１２Ｌ，１２Ｒで自動注出プログラムを交互に３回ずつ開始させて飲料を注出させる。自動注出ユニット１２Ｒの操作パネル６０の自動注出操作スイッチ６１をオン操作したときにも、自動注出ユニット１２Ｌの自動注出操作スイッチ６１をオン操作したときと同様に、制御装置７０は、自動注出ユニット１２Ｒ，１２Ｌで自動注出プログラムを交互に３回ずつ開始させて飲料を注出させる。
【００２９】
上記のように構成した飲料自動注出装置１０で連動注出モードに設定しているときには、２つの自動注出ユニット１２Ｌ，１２Ｒの１つで自動注出操作スイッチ（操作部）６１を操作して自動注出プログラムを実行させるように操作したときに、制御装置７０は、自動注出ユニット１２Ｌ，１２Ｒの自動注出操作スイッチ６１を操作した方とともに、自動注出ユニット１２Ｌ，１２Ｒの自動注出操作スイッチ６１を操作してない方でも自動注出プログラムを実行するように制御している。これにより、自動注出操作スイッチ６１を１度操作するだけで、２つの自動注出ユニット１２Ｌ，１２Ｒの両方で自動注出プログラムを実行させることができ、一度に多人数分の飲料を自動注出するときの操作手数を少なくでき、操作時間を短くすることができるようになった。
【００３０】
また、連動注出の時間差注出モードでは、２つの自動注出ユニット１２Ｌ，１２Ｒの１つで自動注出操作スイッチ（操作部）６１を操作して自動注出プログラムを実行させるように操作したときに、制御装置７０は、２つの自動注出ユニット１２Ｌ，１２Ｒの自動注出操作スイッチ６１を操作した方で先ず自動注出プログラムを開始させ、所定時間後に２つの自動注出ユニット１２Ｌ，１２Ｒの自動注出操作スイッチ６１を操作してない方でも自動注出プログラムを開始させるように制御した。このようにしたことで、２つの自動注出ユニット１２Ｌ，１２Ｒの自動注出操作スイッチ６１を操作した方の受台４２に載置させた容器に飲料を注出開始させた後で、２つの自動注出ユニット１２Ｌ，１２Ｒの自動注出操作スイッチ６１を操作していない方の受台４２に容器を載置すればよく、２つの自動注出ユニット１２Ｌ，１２Ｒの両方（全て）の受台４２に最初から容器を準備する必要がなく、注出を開始するまでの準備時間を短くすることができるようになった。
【００３１】
また、この連動注出の時間差注出モードでは、制御装置７０は自動注出ユニット１２Ｌ，１２Ｒの自動注出操作スイッチ６１を操作した方で先ず自動注出プログラムを開始させ、コック操作装置３０による弁機構部２１ａを液状態で開放させる開放時間が経過すると、自動注出ユニット１２Ｌ，１２Ｒの自動注出操作スイッチ６１を操作していない方で自動注出プログラムを開始している。このようにしたことで、連動注出の同時注出モードで自動注出プログラムを実行させたときと比べて、自動注出ユニット１２Ｌ，１２Ｒの両方の飲料冷却管１５に飲料が同時に流入しないようになり、冷却水槽１３内の冷却水の温度が急激に上昇するのを防ぎ、飲料冷却管１５を通過する飲料が冷却されにくくなるのを防ぐことができた。また、コック操作装置３０が自動注出ユニット１２Ｌ，１２Ｒの両方で同時に運転開始せず、同様に、受台傾動装置５０が自動注出ユニット１２Ｌ，１２Ｒの両方で同時に運転開始しないので、連動注出の同時注出モードで自動注出プログラムを実行させたときと比べて起動電圧の低下を抑えることもできた。なお、自動注出ユニット１２Ｌ，１２Ｒの両方の飲料冷却管１５に飲料が同時に流入しないようにする範囲で、自動注出ユニット１２Ｌ，１２Ｒの自動注出プログラムを開始させるタイミングを変えてもよい。また、同様に、コック操作装置３０及び受台傾動装置５０が自動注出ユニット１２Ｌ，１２Ｒの両方で同時に運転開始することで起動電圧の低下を抑制できる範囲で自動注出ユニット１２Ｌ，１２Ｒの自動注出プログラムを開始させるタイミングを変えてもよい。
【００３２】
連動注出の同時注出モードと連動注出の時間差注出モードでは連続注出回数が設定可能となっており、連動注出の同時注出モードまたは連動注出の時間差注出モードで連続注出回数を複数回に設定したときには、制御装置７０は、２つの自動注出ユニット１２Ｌ，１２Ｒの自動注出操作スイッチ６１を操作した方と、２つの自動注出ユニット１２Ｌ，１２Ｒの自動注出操作スイッチ６１を操作してない方の各々で自動注出プログラムを複数回実行するように制御している。これにより、自動注出操作スイッチ６１を１回操作するだけで、２つの自動注出ユニット１２Ｌ，１２Ｒの各々で飲料を複数回自動注出させることができ、一度に多人数分の飲料を自動注出するときの操作手数をさらに少なくでき、操作時間を短くすることができるようになった。
【００３３】
上述した実施形態の飲料自動注出装置１０は、複数の自動注出ユニットとして２つの自動注出ユニット１２Ｌ，１２Ｒを備えたが、本発明はこれに限られるものでなく、３つ以上の自動注出ユニットを備えるようにしたものであってもよい。
【００３４】
上記のように構成した飲料自動注出装置１０においては、飲料としてビールを主に説明したが、本発明はこれに限られるものでなく、発泡性飲料として注出時に気泡が生じて泡がしばらく消えない飲料であればビール以外に発泡酒等であってもよいし、また、飲料は発泡性飲料に限られるものでなく、酎ハイ、炭酸飲料、ソフトドリンク等の他の飲料にも適用できるものであり、これらの飲料を注出するものであっても上述したのと同様の作用効果を得ることができる。
【００３５】
上記のように構成した飲料自動注出装置１０においては、装置本体１１の一側部として前側部に注出コック２０、コック操作装置３０、容器受台装置４０及び受台傾動装置５０を設けたが、これに限られるものでなく、装置本体１１の一側部として左側部、右側部及び後側部に注出コック２０、コック操作装置３０、容器受台装置４０及び受台傾動装置５０を設けたものであってもよい。
【符号の説明】
【００３６】
１０…飲料自動注出装置、１１…装置本体、２０…注出コック、２１ａ…弁機構部、３０…コック操作装置、４０…容器受台装置、４１…傾動基板、４２…受台、５０…受台傾動装置、６０…制御装置。
【図１】
2020075743.tif 000003
【図２】
2020075743.tif 000004
【図３】
2020075743.tif 000005
【図４】
2020075743.tif 000006
【図５】
2020075743.tif 000007
【図６】
2020075743.tif 000008
【図７】
2020075743.tif 000009
【図８】
2020075743.tif 000010
【図９】
2020075743.tif 000011
【図１０】
2020075743.tif 000012